(57)【特許請求の範囲】
【請求項１】
ユーザ機器（ＵＥ）によって実行されるワイヤレス通信のための方法であって、
前記ＵＥで、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を備える、方法。
【請求項２】
前記複数のチャネルのうちの残りの部分のチャネル上で追加のＣＣＡプロシージャを実行することをさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、請求項１に記載の方法。
【請求項３】
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
をさらに備える、請求項１に記載の方法。
【請求項４】
前記所定のスケジュールは、周期的スケジュール、または非周期的スケジュール、またはそれらの組合せを備えるか、または、前記プライマリチャネルは、前記リソースグラントにおいて識別される前記複数のチャネルに含まれている、請求項３に記載の方法。
【請求項５】
１つのチャネルを選択することは、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を備える、請求項１乃至３のうちのいずれか一項に記載の方法。
【請求項６】
１つのチャネルを選択することは、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を備える、請求項１乃至３のうちのいずれか一項に記載の方法。
【請求項７】
１つのチャネルを選択することは、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を備える、請求項１乃至３のうちのいずれか一項に記載の方法。
【請求項８】
ワイヤレス通信のための装置であって、
ユーザ機器（ＵＥ）で、アップリンク通信のために使用されるように利用可能な共有の周波数スペクトルサブ帯域の複数のチャネルを識別するリソースグラントを受信するための手段と、
近隣Ｗｉ−Ｆｉ基本サービスセット（ＢＳＳ）に関連付けられたプライマリチャネルを識別するための手段と、
前記識別されたプライマリチャネルが、前記共有の周波数スペクトルサブ帯域の前記複数のチャネル内にあるかどうかを決定するための手段と、
前記決定することに少なくとも部分的に基づいて、前記共有の周波数スペクトルサブ帯域の前記複数のチャネルのうちの１つのチャネルを選択するための手段と、
前記選択されたチャネル上で信号検出クリアチャネル評価（ＣＣＡ）プロシージャを実行するための手段と、
を備える、装置。
【請求項９】
１つのチャネルを選択するための前記手段は、
前記複数のチャネルのうちの残りの部分のチャネル上で追加のＣＣＡプロシージャを実行するための手段を備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、請求項８に記載の装置。
【請求項１０】
前記プライマリチャネルをモニタリングするための手段と、
所定のスケジュールにしたがって基地局にチャネル利用メッセージを送信するための手段と、前記チャネル利用メッセージは、前記プライマリチャネル上のＷｉ−Ｆｉトラフィックの量に関連付けられた情報を備える、
をさらに備える、請求項８に記載の装置。
【請求項１１】
前記所定のスケジュールは、周期的スケジュール、または非周期的スケジュール、またはそれらの組合せを備える、請求項１０に記載の装置。
【請求項１２】
１つのチャネルを選択するための前記手段は、
前記プライマリチャネルが、前記サブ帯域の前記複数のチャネル内にあると決定するための手段と、
前記信号検出ＣＣＡプロシージャを実行すべき前記選択されたチャネルとして前記プライマリチャネルを選択するための手段と、
を備える、請求項８乃至１０のうちのいずれか一項に記載の装置。
【請求項１３】
１つのチャネルを選択するための前記手段は、
前記プライマリチャネルが、前記共有の周波数スペクトルサブ帯域の前記複数のチャネル外にあると決定するための手段と、
前記信号検出ＣＣＡプロシージャを実行すべき前記選択されたチャネルとして前記複数のチャネルのうちの１つのチャネルを選択するための手段と、
を備える、請求項８乃至１０のうちのいずれか一項に記載の装置。
【請求項１４】
１つのチャネルを選択するための前記手段は、
近隣ＵＥが信号検出ＣＣＡプロシージャを実行している前記複数のチャネルのうちの第１のチャネルを識別するための手段と、
前記信号検出ＣＣＡプロシージャを実行すべき前記選択されたチャネルとして第２のチャネルを選択するための手段と、前記第２のチャネルは、前記第１のチャネルとは異なる、
を備える、請求項８乃至１０のうちのいずれか一項に記載の装置。
【請求項１５】
ワイヤレス通信のためのコンピュータ実行可能コードを記憶する非一時的コンピュータ可読媒体であって、前記コードは、請求項１乃至７のうちのいずれか一項に記載のステップを行うようにプロセッサによって実行可能である、非一時的コンピュータ可読媒体。
【発明の詳細な説明】
【関連出願】
【０００１】
[0001]本特許出願は、本明細書の譲受人に譲渡される、２０１５年１０月２日付で出願された、「Clear Channel Assessment In LTE Controlled Wi-Fi」という題名の、Ｚｈａｎｇ他による米国特許出願第１４／８７４，０２９号に基づく優先権を主張する。
【技術分野】
【０００２】
[0002]本開示は、たとえば、ワイヤレス通信システムに関し、より具体的には、ロングタームエボリューション制御Ｗｉ−Ｆｉ環境（a long term evolution controlled Wi-Fi environment）におけるクリアチャネル評価プロシージャに関する。
【背景技術】
【０００３】
[0003]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（たとえば、時間、周波数、および電力）を共有することによって複数のユーザとの通信をサポートする能力を有する多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、いくつかの基地局を含み得、それらの各々は、別名ユーザ機器（ＵＥ）として知られる複数の通信デバイスのための通信を同時にサポートする。基地局は、ダウンリンクチャネル（たとえば、基地局からＵＥへの送信のため）およびアップリンクチャネル（たとえば、ＵＥから基地局への送信のため）上で、ＵＥと通信しうる。
【０００５】
[0005]ワイヤレス通信システムは、ワイヤレスワイドエリアネットワーク（ＷＷＡＮ）技法（たとえば、ロングタームエボリューション（ＬＴＥ）技術のようなセルラ通信技法）を使用する通信を含みうる。いくつかの構成では、ワイヤレス通信システムは、ＬＴＥ制御Ｗｉ−Ｆｉ（ＬＴＥ−ＣＷ：LTE controlled Wi-Fi）をサポートしうる。たとえば、ＬＴＥリンクにおけるライセンス周波数が、Ｗｉ−Ｆｉリンク（たとえば、ワイヤレスローカルエリアネットワーク（ＷＬＡＮ））のパフォーマンスおよびカバレッジを向上させるために活用されうる。低帯域幅ＬＴＥチャネル（またはキャリア）が不可欠な制御機能のために使用され得るが、データ送信がその後アンライセンス帯域におけるＷｉ−Ｆｉリンクを介して実行される。Ｗｉ−Ｆｉ通信についての媒体アクセスプロシージャは通常、デバイスが送信前に利用可能性を決定するために媒体をモニタリングするクリアチャネル評価（ＣＣＡ）プロシージャを含む。しかしながら従来のＣＣＡプロシージャは、ＬＴＥ−ＣＷプロトコルを完全にはサポートしないことがある。
【発明の概要】
【０００６】
[0006]説明される特徴は一般に、ＬＴＥ−ＣＷ環境におけるＣＣＡプロシージャを提供する、１つまたは複数の向上した方法、システム、またはデバイスに関する。一般に、説明される技法は、リソースグラントにおいて識別されたチャネルのどれにおいても信号検出ＣＣＡプロシージャを実行するためのＬＴＥ−ＣＷ構成ＵＥ（LTE-CW configured UE）を提供する。たとえば、ＵＥは、リソースグラントを基地局から受信しうる。該リソースグラント、たとえば広帯域リソースグラント、は、ＵＥによるアップリンク通信において使用する共有の周波数スペクトルの複数のチャネルを識別しうる。ＵＥはまた、Ｗｉ−Ｆｉアクセスポイント（ＡＰ）が近くで動作していると決定しうる。該ＡＰおよび関連付けられたワイヤレス局（ＳＴＡ）（たとえば、ＵＥ）のセットは、基本加入者セット（ＢＳＳ）と称されうる。従来、ＢＳＳは、しばしばプライマリチャネルと称される１つのチャネルを介して通信する。ＵＥは、近隣ＢＳＳのプライマリチャネルを識別し、該プライマリチャネルがリソースグラントにおいて識別される複数のチャネル内にあるかどうかを決定しうる。ＵＥは、該複数のチャネルのうちのどれでも選択し得、選択されたチャネル上で信号検出ＣＣＡプロシージャを実行しうる。近接ＢＳＳプライマリチャネルが複数のリソースグラントチャネルに含まれている場合、ＵＥは、信号検出ＣＣＡプロシージャを実行するために該プライマリチャネルを選択しうる。ＵＥは、残りのリソースグラントチャネル上で他のＣＣＡプロシージャ、たとえば、エネルギー検出ＣＣＡプロシージャおよび／またはガードインターバル自己相関ＣＣＡプロシージャ、を実行しうる。
【０００７】
[0007]ワイヤレス通信のための方法が説明される。該方法は、ユーザ機器（ＵＥ）で、アップリンク通信のために使用されるように利用可能な共有の周波数スペクトルサブ帯域の複数のチャネルを識別するリソースグラントを受信することと、近隣Ｗｉ−Ｆｉ基本サービスセット（ＢＳＳ）に関連付けられたプライマリチャネルを識別することと、該識別されたプライマリチャネルが、該共有の周波数スペクトルサブ帯域の該複数のチャネル内にあるかどうかを決定することと、該決定することに少なくとも部分的に基づいて、該共有の周波数スペクトルサブ帯域の該複数のチャネルのうちの１つのチャネルを選択することと、該選択されたチャネル上で信号検出クリアチャネル評価（ＣＣＡ）プロシージャを実行することと、を含みうる。
【０００８】
[0008]１つのチャネルを選択することは、該プライマリチャネルが該サブ帯域の該複数のチャネル内にあると決定することと、該信号検出ＣＣＡプロシージャを実行すべき該選択されたチャネルとして該プライマリチャネルを選択することと、を含みうる。１つのチャネルを選択することは、該プライマリチャネルが該共有の周波数スペクトルサブ帯域の該複数のチャネル外にあると決定することと、該信号検出ＣＣＡプロシージャを実行すべき該選択されたチャネルとして該複数のチャネルのうちの１つのチャネルを選択することと、を含みうる。１つのチャネルを選択することは、近隣ＵＥが信号検出ＣＣＡプロシージャを実行している該複数のチャネルのうちの第１のチャネルを識別することと、該信号検出ＣＣＡプロシージャを実行すべき該選択されたチャネルとして第２のチャネルを選択することと、該第２のチャネルは、該第１のチャネルとは異なる、を含みうる。
【０００９】
[0009]該方法は、該複数のチャネルのうちの残りの部分のチャネル上で追加のＣＣＡプロシージャを実行することを含み得、ここにおいて、該追加のＣＣＡプロシージャは、ガードインターバル自己相関ＣＣＡプロシージャ、エネルギー検出ＣＣＡプロシージャ、またはそれらの組合せ、のうちの少なくとも１つを含みうる。該方法は、該プライマリチャネルをモニタリングすることと、所定のスケジュールにしたがって基地局にチャネル利用メッセージを送信することと、を含み得、該チャネル利用メッセージは、該プライマリチャネル上のＷｉ−Ｆｉトラフィックの量に関連付けられた情報を含みうる。該所定のスケジュールは、周期的スケジュール、または非周期的スケジュール、またはそれらの組合せを含みうる。該プライマリチャネルは、該リソースグラントにおいて識別される該複数のチャネルに含まれうる。
【００１０】
[0010]ワイヤレス通信のための装置が説明される。該装置は、プロセッサと、該プロセッサと電子通信するメモリと、該メモリに記憶された命令と、を含みうる。該命令は、ユーザ機器（ＵＥ）で、アップリンク通信のために使用されるように利用可能な共有の周波数スペクトルサブ帯域の複数のチャネルを識別するリソースグラントを受信することと、近隣Ｗｉ−Ｆｉ基本サービスセット（ＢＳＳ）に関連付けられたプライマリチャネルを識別することと、該識別されたプライマリチャネルが、該共有の周波数スペクトルサブ帯域の該複数のチャネル内にあるかどうかを決定することと、該決定することに少なくとも部分的に基づいて、該共有の周波数スペクトルサブ帯域の該複数のチャネルのうちの１つのチャネルを選択することと、該選択されたチャネル上で信号検出クリアチャネル評価（ＣＣＡ）プロシージャを実行することと、を行うように該プロセッサによって実行可能でありうる。
【００１１】
[0011]１つのチャネルを選択するように実行可能な該命令は、該プライマリチャネルが該サブ帯域の該複数のチャネル内にあると決定することと、該信号検出ＣＣＡプロシージャを実行すべき該選択されたチャネルとして該プライマリチャネルを選択することと、を行うようにさらに実行可能である。１つのチャネルを選択するように実行可能な該命令は、該プライマリチャネルが該共有の周波数スペクトルサブ帯域の該複数のチャネル外にあると決定することと、該信号検出ＣＣＡプロシージャを実行すべき該選択されたチャネルとして該複数のチャネルのうちの１つのチャネルを選択することと、を行うようにさらに実行可能である。１つのチャネルを選択するように実行可能な該命令は、近隣ＵＥが信号検出ＣＣＡプロシージャを実行している該複数のチャネルのうちの第１のチャネルを識別することと、該信号検出ＣＣＡプロシージャを実行すべき該選択されたチャネルとして第２のチャネルを選択することと、該第２のチャネルは、該第１のチャネルとは異なる、を行うようにさらに実行可能である。
【００１２】
[0012]該装置は、該複数のチャネルのうちの残りの部分のチャネル上で追加のＣＣＡプロシージャを実行することを行うように該プロセッサによって実行可能な命令を含み得、ここにおいて、該追加のＣＣＡプロシージャは、ガードインターバル自己相関ＣＣＡプロシージャ、エネルギー検出ＣＣＡプロシージャ、またはそれらの組合せ、のうちの少なくとも１つを含みうる。該装置は、該プライマリチャネルをモニタリングすることと、所定のスケジュールにしたがって基地局にチャネル利用メッセージを送信することと、を行うように該プロセッサによって実行可能な命令を含み得、該チャネル利用メッセージは、該プライマリチャネル上のＷｉ−Ｆｉトラフィックの量に関連付けられた情報を含みうる。該所定のスケジュールは、周期的スケジュール、または非周期的スケジュール、またはそれらの組合せを含みうる。該プライマリチャネルは、該リソースグラントにおいて識別される該複数のチャネルに含まれうる。
【００１３】
[0013]ワイヤレス通信のための装置が説明される。該装置は、ユーザ機器（ＵＥ）で、アップリンク通信のために使用されるように利用可能な共有の周波数スペクトルサブ帯域の複数のチャネルを識別するリソースグラントを受信するための手段と、近隣Ｗｉ−Ｆｉ基本サービスセット（ＢＳＳ）に関連付けられたプライマリチャネルを識別するための手段と、該識別されたプライマリチャネルが、該共有の周波数スペクトルサブ帯域の該複数のチャネル内にあるかどうかを決定するための手段と、該決定することに少なくとも部分的に基づいて、該共有の周波数スペクトルサブ帯域の該複数のチャネルのうちの１つのチャネルを選択するための手段と、該選択されたチャネル上で信号検出クリアチャネル評価（ＣＣＡ）プロシージャを実行するための手段と、を含みうる。
【００１４】
[0014]１つのチャネルを選択するための該手段は、該プライマリチャネルが該サブ帯域の該複数のチャネル内にあると決定するための手段と、該信号検出ＣＣＡプロシージャを実行すべき該選択されたチャネルとして該プライマリチャネルを選択するための手段と、を含みうる。１つのチャネルを選択するための該手段は、該プライマリチャネルが該共有の周波数スペクトルサブ帯域の該複数のチャネル外にあると決定するための手段と、該信号検出ＣＣＡプロシージャを実行すべき該選択されたチャネルとして該複数のチャネルのうちの１つのチャネルを選択するための手段と、を含みうる。
【００１５】
[0015]１つのチャネルを選択するための該手段は、近隣ＵＥが信号検出ＣＣＡプロシージャを実行している該複数のチャネルのうちの第１のチャネルを識別するための手段と、該信号検出ＣＣＡプロシージャを実行すべき該選択されたチャネルとして第２のチャネルを選択するための手段と、該第２のチャネルは、該第１のチャネルとは異なる、を含みうる。１つのチャネルを選択するための該手段は、該複数のチャネルのうちの残りの部分のチャネル上で追加のＣＣＡプロシージャを実行するための手段を含み得、ここにおいて、該追加のＣＣＡプロシージャは、ガードインターバル自己相関ＣＣＡプロシージャ、エネルギー検出ＣＣＡプロシージャ、またはそれらの組合せ、のうちの少なくとも１つを含みうる。
【００１６】
[0016]該装置は、該プライマリチャネルをモニタリングするための手段と、所定のスケジュールにしたがって基地局にチャネル利用メッセージを送信するための手段と、を含み得、該チャネル利用メッセージは、該プライマリチャネル上のＷｉ−Ｆｉトラフィックの量に関連付けられた情報を含みうる。該所定のスケジュールは、周期的スケジュール、または非周期的スケジュール、またはそれらの組合せを含みうる。該プライマリチャネルは、該リソースグラントにおいて識別される該複数のチャネルに含まれている。
【００１７】
[0017]ワイヤレス通信のためのコンピュータ実行可能コードを記憶する非一時的コンピュータ可読媒体が説明される。ユーザ機器（ＵＥ）で、アップリンク通信のために使用されるように利用可能な共有の周波数スペクトルサブ帯域の複数のチャネルを識別するリソースグラントを受信することと、近隣Ｗｉ−Ｆｉ基本サービスセット（ＢＳＳ）に関連付けられたプライマリチャネルを識別することと、該識別されたプライマリチャネルが、該共有の周波数スペクトルサブ帯域の該複数のチャネル内にあるかどうかを決定することと、該決定することに少なくとも部分的に基づいて、該共有の周波数スペクトルサブ帯域の該複数のチャネルのうちの１つのチャネルを選択することと、該選択されたチャネル上で信号検出クリアチャネル評価（ＣＣＡ）プロシージャを実行することと、を行うようにプロセッサによって実行可能なコード。
【００１８】
[0018]１つのチャネルを選択するようにプロセッサによって実行可能なコードは、該プライマリチャネルが該サブ帯域の該複数のチャネル内にあると決定することと、該信号検出ＣＣＡプロシージャを実行すべき該選択されたチャネルとして該プライマリチャネルを選択することと、を行うようにさらに実行可能である。１つのチャネルを選択するようにプロセッサによって実行可能な該コードは、該プライマリチャネルが該共有の周波数スペクトルサブ帯域の該複数のチャネル外にあると決定することと、該信号検出ＣＣＡプロシージャを実行すべき該選択されたチャネルとして該複数のチャネルのうちの１つのチャネルを選択することと、を行うようにさらに実行可能である。
【００１９】
[0019]１つのチャネルを選択するようにプロセッサによって実行可能な該コードは、近隣ＵＥが信号検出ＣＣＡプロシージャを実行している該複数のチャネルのうちの第１のチャネルを識別することと、該信号検出ＣＣＡプロシージャを実行すべき該選択されたチャネルとして第２のチャネルを選択することと、該第２のチャネルは、該第１のチャネルとは異なる、を行うようにさらに実行可能である。該非一時的コンピュータ可読媒体は、該複数のチャネルのうちの残りの部分のチャネル上で追加のＣＣＡプロシージャを実行するように該プロセッサによって実行可能なコードを含み得、ここにおいて、該追加のＣＣＡプロシージャは、ガードインターバル自己相関ＣＣＡプロシージャ、エネルギー検出ＣＣＡプロシージャ、またはそれらの組合せ、のうちの少なくとも１つを含みうる。該非一時的コンピュータ可読媒体は、該プライマリチャネルをモニタリングすることと、所定のスケジュールにしたがって基地局にチャネル利用メッセージを送信することと、を行うように該プロセッサによって実行可能なコードを含み得、該チャネル利用メッセージは、該プライマリチャネル上のＷｉ−Ｆｉトラフィックの量に関連付けられた情報を含みうる。
【００２０】
[0020]前述の記載は、以下の詳細な説明がより良く理解されうるように、本開示にしたがった例の特徴および技術的利点を、ある程度広く概説したものである。追加の特徴および利点がこれから先に説明される。開示される概念および具体的な例は、本開示と同じ目的を実行するために他の構造を修正または設計するための基礎として容易に利用されうる。そのような同等の構造は、添付の請求項の範囲から逸脱しない。本明細書で開示されるコンセプトの特性は、それらの構成（organization）と動作の方法の両方が、関連付けられた利点とともに、添付の図と併せて考えられるときに以下の説明からより良く理解されるだろう。該図の各々は、例示および説明の目的でのみ提供され、請求項の限定の定義としては提供されない。
【００２１】
[0021]本発明の本質および利点のさらなる理解は、以下の図面に対する参照によって実現されうる。添付された図では、類似のコンポーネントまたは特徴は、同じ参照ラベルを有しうる。さらに、同じタイプの様々なコンポーネントは、参照ラベルに、ハイフンと、類似のコンポーネントを区別する第２のラベルとを後続させることによって区別されうる。本明細書で第１の参照ラベルのみが使用されている場合には、該説明は、第２の参照ラベルに関わらず、同じ第１の参照ラベルを有する類似のコンポーネントのどれにも（any one）適用可能である。
【図面の簡単な説明】
【００２２】
【図１】本開示の様々な態様にしたがった、ワイヤレス通信システムの図を図示する。
【図２】本開示の様々な態様にしたがった、ワイヤレス通信システムにおけるユーザ機器と基地局との間の通信の例の図を図示する。
【図３】本開示の様々な態様にしたがった、ワイヤレス通信システムの図を図示する。
【図４】本開示の様々な態様にしたがった、ワイヤレス通信における使用のために構成されたデバイスのブロック図を図示する。
【図５】本開示の様々な態様にしたがった、ワイヤレス通信における使用のために構成されたデバイスのブロック図を図示する。
【図６】本開示の様々な態様にしたがった、ワイヤレス通信において使用するユーザ機器のブロック図を図示する。
【図７】本開示の様々な態様にしたがった、ワイヤレス通信のための方法の例を例示するフローチャートである。
【図８】本開示の様々な態様にしたがった、ワイヤレス通信のための方法の例を例示するフローチャートである。
【図９】本開示の様々な態様にしたがった、ワイヤレス通信のための方法の例を例示するフローチャートである。
【詳細な説明】
【００２３】
[0031]Ｗｉ−Ｆｉワイヤレス通信の１つの利益は、高ピークデータ通信レートが利用可能なことである。ＬＴＥ−ＣＷでは、ライセンス帯域ＬＴＥリンクが、アンライセンス帯域Ｗｉ−Ｆｉリンクのパフォーマンスおよびカバレッジを向上させるために使用される。たとえば、ＵＥおよび／またはＬＴＥ基地局は、Ｗｉ−Ｆｉ制御送信、たとえばＬＴＥ−ＣＷ送信、に関連付けられたフレームアライメント、タイミング、および他の無線フレーム構成情報を交換するためにＷＷＡＮリソースを使用する。Ｗｉ−Ｆｉ構成ＵＥは、該ＵＥがＢＳＳに参加するときにプライマリ２０ＭＨｚチャネルを通知される。該プライマリチャネルは通常、固定であり、ＢＳＳを形成するすべての関連するＵＥとＡＰとの間の通信のために使用される。すべてのＢＳＳアップリンク送信がプライマリ２０ＭＨｚチャネルを使用して生じなければならないので、ＵＥは、該プライマリ２０ＭＨｚチャネルにおいてのみ信号検出ＣＣＡプロシージャを実行しなければならない。したがって、同じＷｉ−Ｆｉ  ＡＰに関連付けられたすべてのＵＥが、同じ２０ＭＨｚチャネルにおいて信号検出ＣＣＡを実行する必要がある。Ｗｉ−Ｆｉ構成ＵＥは、どこで信号検出ＣＣＡを実行すべきかを選ぶオプションを有さない。
【００２４】
[0032]本説明の態様にしたがうと、ＵＥは、ＬＴＥ−ＣＷワイヤレス通信のために構成される。ＵＥは、制御および／または構成情報についてＬＴＥリンクまたはキャリアを使用してＬＴＥ基地局と通信しうる。たとえば、ＵＥは、該ＵＥがアップリンク通信のために使用することとなる複数の２０ＭＨｚチャネルを識別するリソースグラントを受信しうる。ＵＥはまた、Ｗｉ−Ｆｉ通信に構成され得、およびそれにより、ＢＳＳが近くで動作していると決定するように構成されうる。ＵＥは、ＢＳＳのプライマリチャネルを識別し、該プライマリチャネルがリソースグラントにおいて識別される複数のチャネルに含まれているどうかを決定しうる。概してＵＥは、信号検出ＣＣＡプロシージャを実行するために該複数のチャネルのうちのどれも選択しうる。近接ＢＳＳプライマリチャネルが複数のチャネルに含まれているとＵＥが決定するいくつかの構成では、ＵＥは、信号検出ＣＣＡプロシージャを実行するために該プライマリチャネルを選択しうる。
【００２５】
[0033]いくつかの態様では、ＵＥはまた、ＬＴＥ−ＣＷシステムにおけるＵＥ支援アップリンクスケジューリングのために構成されうる。たとえば、ＵＥは、近くで動作しているいずれのＢＳＳについても、またはそのすべてのＢＳＳについて、プライマリチャネル（複数を含む）をモニタリングしうる。ＵＥは、該プライマリチャネル上のトラフィックの使用または量を識別する情報（たとえば、チャネル利用メッセージ）を、そのＬＴＥ基地局に送りうる。ＵＥは、周期的に、非周期的に、またはその両方で、プライマリチャネル使用情報を報告しうる。たとえば、ＵＥは、ＬＴＥリンクを使用して報告を送りうる。ＬＴＥ基地局は、ＵＥについてのアップリンク通信をスケジューリングするためにチャネル利用情報を使用しうる。いくつかの構成では、ＬＴＥ基地局は、ＵＥについてリソースグラントにおいて識別される複数のチャネルに該プライマリチャネルを含め得、たとえば、ＬＴＥ基地局は、その近隣におけるＷｉ−Ｆｉ  ＢＳＳのセカンダリ２０ＭＨｚ  Ｗｉ−Ｆｉチャネル、またはセカンダリ４０ＭＨｚ  Ｗｉ−Ｆｉチャネル、またはセカンダリ８０ＭＨｚ  Ｗｉ−Ｆｉチャネルのみを使用することを避けうる。
【００２６】
[0034]以下の説明は例を提供しており、請求項において述べられている範囲、適用可能性、または例の限定ではない。変更は、本開示の範囲から逸脱することなく、説明される要素の機能および配置において行われうる。様々な例が、適宜、様々なプロシージャまたはコンポーネントを省略、置換、または追加しうる。たとえば、説明される方法は、説明されるものとは異なる順序で実行され得、様々なステップが追加、省略、または組み合わされうる。また、いくつかの例に関して説明される特徴は、他の例において組み合わされうる。
【００２７】
[0035]図１は、本開示の様々な態様にしたがった、ワイヤレス通信システム１００の例を例示する。ワイヤレス通信システム１００は、基地局１０５、ＵＥ１１５、およびコアネットワーク１３０を含む。コアネットワーク１３０は、ユーザ認証、アクセス許可、トラッキング、インターネットプロトコル（ＩＰ）接続および他のアクセス、ルーティング、またはモビリティ機能を提供しうる。基地局１０５は、バックホールリンク１３２（たとえば、Ｓ１等）を通じてコアネットワーク１３０とインターフェース接続し、ＵＥ１１５との通信のために無線構成およびスケジューリングを実行しうる、または基地局コントローラ（図示せず）の制御下で動作しうる。様々な例において、基地局１０５は、有線またはワイヤレス通信リンクでありうるバックホールリンク１３４（たとえば、Ｘ１等）を介して互いに、直接的または間接的（たとえば、コアネットワーク１３０を通じて）のどちらかで通信しうる。
【００２８】
[0036]基地局１０５は、１つまたは複数の基地局アンテナを介してＵＥ１１５とワイヤレスに通信しうる。基地局１０５サイトの各々が、それぞれの地理的カバレッジエリア１１０に通信カバレッジを提供しうる。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適した専門用語で称されうる。基地局１０５のための地理的カバレッジエリア１１０は、カバレッジエリアの一部分のみを占める（make up）セクタ（図示せず）に分割されうる。ワイヤレス通信システム１００は、異なるタイプの基地局１０５（たとえば、マクロおよび／またはスモールセル基地局）を含みうる。異なる技術のために重複する地理的カバレッジエリア１１０が存在しうる。
【００２９】
[0037]いくつかの例において、ワイヤレス通信システム１００は、ＬＴＥ／ＬＴＥ−Ａネットワークである。ＬＴＥ／ＬＴＥ−Ａネットワークでは、発展型ノードＢ（ｅＮＢ）という用語が一般に、基地局１０５を説明するために使用されうる一方で、ＵＥという用語は一般に、ＵＥ１１５を説明するために使用されうる。ワイヤレス通信システム１００は、異なるタイプのｅＮＢが様々な地理的領域のためのカバレッジを提供する異種ＬＴＥ／ＬＴＥ−Ａネットワークでありうる。たとえば、各ｅＮＢまたは基地局１０５は、マクロセル、スモールセル、および／または他のタイプのセルのための通信カバレッジを提供しうる。「セル」という用語は、コンテキストに応じて、基地局、基地局に関連付けられたキャリアもしくはコンポーネントキャリア、またはキャリアもしくは基地局のカバレッジエリア（たとえば、セクタ等）を説明するために使用されうる３ＧＰＰ（登録商標）用語である。
【００３０】
[0038]マクロセルは一般に、比較的広い地理的エリア（たとえば、半径数キロメートル）をカバーし、ネットワークプロバイダにサービス加入したＵＥによる無制限アクセスを可能にしうる。スモールセルは、マクロセルと同じまたは異なる（たとえば、ライセンス、アンライセンス等の）周波数帯域で動作しうる、マクロセルと比較するとより低い電力の基地局である。スモールセルは、様々な例にしたがって、ピコセル、フェムトセル、およびマイクロセルを含みうる。ピコセルは、比較的それより小さい地理的エリアをカバーし、ネットワークプロバイダにサービス加入したＵＥによる無制限アクセスを可能にしうる。フェムトセルもまた、比較的狭い地理的エリア（たとえば、住居）をカバーし得、フェムトセルとのアソシエーションを有するＵＥ（たとえば、クローズド加入者グループ（ＣＳＧ）中のＵＥ、住居にいるユーザのためのＵＥ等）による制限付きアクセスを提供しうる。マクロセルのためのｅＮＢは、マクロｅＮＢと称されうる。スモールセルのためのｅＮＢは、スモールセルｅＮＢ、ピコｅＮＢ、フェムトｅＮＢ、またはホームｅＮＢと称されうる。ｅＮＢは、１つまたは複数（たとえば、２つ、３つ、４つ等）のセル（たとえば、コンポーネントキャリア）をサポートしうる。
【００３１】
[0039]ワイヤレス通信システム１００は、同期または非同期動作をサポートしうる。同期動作では、複数の基地局は類似のフレームタイミングを有し得、異なる基地局からの複数の送信が時間的に近似に整列されうる。非同期動作では、複数の基地局は異なるフレームタイミングを有し得、異なる基地局からの複数の送信が時間的に整列されないことがある。本明細書で説明される技法は、同期または非同期のいずれかの動作のために使用されうる。
【００３２】
[0040]様々な開示される例のうちのいくつかに順応する（accommodate）通信ネットワークは、層状プロトコルスタックにしたがって動作するパケットベースのネットワークでありうる。ユーザプレーンでは、ベアラまたはパケットデータコンバージェンスプロトコル（ＰＤＣＰ）レイヤにおける通信は、ＩＰベースでありうる。無線リンク制御（ＲＬＣ）レイヤは、論理チャネルを介して通信するためにパケットセグメント化および再構築（reassembly）を実行しる。媒体アクセス制御（ＭＡＣ）レイヤは、優先処理（priority handling）、およびトランスポートチャネルへの論理チャネルの多重化を実行しうる。ＭＡＣレイヤはまた、リンク効率を向上させるためにＭＡＣレイヤにおいて再送を提供するためのハイブリッドＡＲＱ（ＨＡＲＱ）を使用することができる。制御プレーンでは、無線リソース制御（ＲＲＣ）プロトコルレイヤは、ユーザプレーンデータのための無線ベアラをサポートするコアネットワーク１３０または基地局１０５とＵＥ１１５との間のＲＲＣ接続の確立、構成、および管理を提供しうる。物理（ＰＨＹ）レイヤでは、トランスポートチャネルが、物理チャネルにマッピングされうる。
【００３３】
[0041]ＵＥ１１５はワイヤレス通信システム１００全体にわたって分布し、各ＵＥ１１５は固定式または移動式でありうる。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語を含みうるか、またはそれらとして当業者によって称されうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、または同様のものでありうる。ＵＥは、マクロｅＮＢ、スモールセルｅＮＢ、リレー基地局等を含む様々なタイプの基地局およびネットワーク機器と通信できることがある。
【００３４】
[0042]ワイヤレス通信システム１００で図示される通信リンク１２５は、ＵＥ１１５から基地局１０５へのアップリンク（ＵＬ）送信、および／または基地局１０５からＵＥ１１５へのダウンリンク（ＤＬ）送信を含みうる。ダウンリンク送信が順方向リンク送信とも呼ばれうる一方で、アップリンク送信もまた、逆方向リンク送信とも呼ばれうる。各通信リンク１２５は、１つまたは複数のキャリアを含み得、ここで、各キャリアは、上で説明された様々な無線技術にしたがって変調された複数のサブキャリア（たとえば、異なる周波数の波形信号）から構成される信号でありうる。各変調された信号は、異なるサブキャリア上で送られ得、制御情報（たとえば、基準信号、制御チャネル等）、オーバヘッド情報、ユーザデータ等を搬送しうる。通信リンク１２５は、（たとえば、ペアにされたスペクトルリソースを使用する）ＦＤＤまたは（たとえば、ペアにされないスペクトルリソースを使用する）ＴＤＤ動作を使用して、双方向通信を送信しうる。ＦＤＤのためのフレーム構造（たとえば、フレーム構造タイプ１）およびＴＤＤのためのフレーム構造（たとえば、フレーム構造タイプ２）が定義されうる。
【００３５】
[0043]システム１００のいくつかの実施形態では、基地局１０５またはＵＥ１１５は、基地局１０５とＵＥ１１５との間の通信品質および信頼性を向上させるために、アンテナダイバーシティスキームを用いるための複数のアンテナを含みうる。加えて、または代わりとして、基地局１０５および／またはＵＥ１１５は、同じまたは異なるコード化されたデータを搬送する複数の空間レイヤを送信するためにマルチパス環境を生かす、多入力多出力（ＭＩＭＯ）技法を用いうる。
【００３６】
[0044]ワイヤレス通信システム１００は、複数のセルまたはキャリア上での動作、つまりキャリアアグリゲーション（ＣＡ）またはマルチキャリア動作と称されうる特徴を、サポートしうる。キャリアはまた、コンポーネントキャリア（ＣＣ）、レイヤ、チャネル等とも称されうる。「キャリア」、「コンポーネントキャリア」、「セル」および「チャネル」という用語は、本明細書では交換可能に使用されうる。ＵＥ１１５は、キャリアアグリゲーションのために複数のダウンリンクＣＣおよび１つまたは複数のアップリンクＣＣで構成されうる。キャリアアグリゲーションは、ＦＤＤコンポーネントキャリアとＴＤＤコンポーネントキャリアの両方を用いて使用されうる。
【００３７】
[0045]ワイヤレス通信システム１００は、ＬＴＥ−ＣＷ通信をサポートしうる。ＬＴＥ−ＣＷシステムでは、ＬＴＥ−ＣＷ  ＵＥ（たとえば、ＵＥ１１５）は、アップリンクワイヤレス通信のために割り当てられたいずれのチャネル上でも信号検出ＣＣＡプロシージャを実行しうる。たとえば、ＵＥ１１５は、アップリンク通信について複数のチャネルを識別するリソースグラントを、ＬＴＥ−ＣＷ基地局（たとえば、基地局１０５）から受信しうる。該リソースグラントは広帯域リソースグラントであり得、いくつかの例では、アップリンク通信について４つの２０ＭＨｚチャネルを識別しうる。ＵＥ１１５はまた、近くで動作するＢＳＳを決定または検出しうる。ＵＥ１１５は、該近隣ＢＳＳに関連付けられたプライマリチャネルを識別し、該プライマリチャネルが複数のチャネルに含まれているかどうかを決定しうる。概してＵＥ１１５は、該複数のチャネルのうちのいずれのチャネルも選択し得、該選択されたチャネル上で信号検出ＣＣＡプロシージャを実行しうる。近隣ＢＳＳのプライマリチャネルが複数のチャネルに含まれているいくつかの構成では、ＵＥ１１５は、該プライマリチャネルを選択し、信号検出ＣＣＡプロシージャを実行しうる。
【００３８】
[0046]ワイヤレス通信システム１００は、ＬＴＥ−ＣＷ通信のためのＵＥ支援アップリンクスケジューリングをサポートしうる。たとえば、ＵＥ１１５は概して、基地局１０５とのＬＴＥ−ＣＷ通信を実行するように構成されうる。ＵＥ１１５はまた、近隣ＢＳＳ（複数を含む）チャネル使用を決定およびモニタリングしうる。たとえば、ＵＥ１１５は、いずれの近隣ＢＳＳのプライマリチャネルもモニタリングし得、所定のスケジュールにしたがって基地局１０５にチャネル利用を報告しうる。基地局１０５は、いくつかの構成では、ＵＥ１１５についてアップリンクリソースグラントをスケジューリングするときに該チャネル利用情報を使用しうる。いくつかの例では、基地局１０５は、ＵＥ１１５へのリソースグラントに、いずれの近隣ＢＳＳのためのプライマリチャネルも含めうる。したがって、ＵＥ１１５から基地局１０５に提供されるチャネル利用情報は、基地局１０５がＵＥ１１５に最も適したアップリンクリソースを識別するのを支援することをＵＥ１１５に可能にしうる。
【００３９】
[0047]図２は、本開示の様々な態様にしたがった、ワイヤレス通信において使用するＵＥ１１５−ａと基地局１０５−ａとの間の通信の態様の例となる図２００を図示する。ＵＥ１１５−ａおよび／または基地局１０５−ａは、ＬＴＥ−ＣＷ通信のために構成される。ＵＥ１１５−ａは、図１を参照して説明されたＵＥ１１５の態様の例でありうる。基地局１０５−ａは、図１を参照して説明された基地局１０５の態様の例でありうる。いくつかの例では、ＵＥ１１５−ａは、説明された機能を実行するように構成された処理システムおよびインターフェースを含みうる。
【００４０】
[0048]２０５で、ＵＥ１１５−ａは、リソースグラント２１０を基地局１０５−ａから受信しうる。該リソースグラントは、アップリンク通信について使用すべきＵＥ１１５−ａのためのいくつかのチャネルを識別しうる。複数のチャネルは、共有の周波数スペクトルサブ帯域のＷｉ−Ｆｉチャネルでありうる。１つの限定されない例では、リソースグラントは、共有の周波数スペクトルサブ帯域の４つの２０ＭＨｚチャネルを識別しうる。
【００４１】
[0049]２１５で、ＵＥ１１５−ａは、近隣ＢＳＳのためのプライマリチャネルを識別しうる。たとえば、Ｗｉ−Ｆｉ  ＡＰは、ＵＥ１１５−ａに接近して位置し得、ＵＥ１１５−ａは、該Ｗｉ−Ｆｉ  ＡＰとそれに関連付けられたワイヤレス局（たとえば、他のＵＥ１１５）との間の１つまたは複数のＷｉ−Ｆｉ送信を検出しうる。先に論じられたように、各ＢＳＳは通常、ワイヤレス通信のためにプライマリチャネル（たとえば、１つの２０ＭＨｚチャネル）を使用して動作する。該プライマリチャネルは、ＢＳＳごとに異なりうる。複数のＢＳＳが間近で動作しているとき、ＵＥ１１５−ａは、近隣ＢＳＳごとのプライマリチャネルを識別しうる。
【００４２】
[0050]２２０で、ＵＥ１１５−ａは、近接ＢＳＳのプライマリチャネルが基地局１０５−ａからのリソースグラントにおいて識別される複数のチャネルに含まれているかどうかを決定しうる。たとえば、ＵＥ１１５−ａは、複数のチャネルの各チャネルを識別し、該識別されたチャネルとプライマリチャネルを比較しうる。該プライマリチャネルは、共有の周波数スペクトル帯域の複数のチャネルに含まれていることも、または含まれていないこともある（may or may not）。
【００４３】
[0051]２２５で、ＵＥ１１５−ａは、プライマリチャネルが複数のチャネルに含まれているかどうかを決定することに基づいて、該複数のチャネルのうちの１つのチャネルを選択しうる。プライマリチャネルが複数のチャネルに含まれている（たとえば、近接ＢＳＳプライマリチャネルがアップリンク通信に利用可能である）場合、ＵＥ１１５−ａは、該プライマリチャネルを選択しうる。プライマリチャネルが複数のチャネルに含まれていない（たとえば、近接ＢＳＳプライマリチャネルがアップリンク通信に利用可能でない）場合、ＵＥ１１５−ａは、該複数のチャネルのうちのいずれのチャネルも選択しうる。いくつかの態様では、選択されたチャネルは、全帯域幅に対して、たとえば、リソースグラントにおいて識別される複数のチャネル内に固定でないことがある。
【００４４】
[0052]いくつかの態様では、ＵＥ１１５−ａがチャネルを選択することは、近隣ＵＥが、複数のチャネルのうちの１つのチャネル上で信号検出ＣＣＡプロシージャを実行しているとＵＥ１１５−ａが決定することを含みうる。たとえば、ＵＥ１１５−ａは、近接ＵＥが、複数のチャネルのうちの第１のチャネル上で信号検出ＣＣＡプロシージャを実行していると決定しうる。ＵＥ１１５−ａはその後、信号検出ＣＣＡプロシージャを実行するために第２のチャネルを選択しうる。
【００４５】
[0053]２３０で、ＵＥ１１５−ａは、選択されたチャネル上で信号検出ＣＣＡプロシージャを実行しうる。信号検出ＣＣＡプロシージャは、ＵＥ１１５−ａが選択されたチャネル上で生じるＷｉ−Ｆｉ送信の少なくとも一部分、たとえば、Ｗｉ−Ｆｉ送信のヘッダ部分、を復号することを含みうる。信号検出ＣＣＡプロシージャは、ＵＥ１１５−ａが、４マイクロ秒で、九十（９０）パーセントよりも高い確率で、−８２ｄＢｍ以上の直交周波数分割多重化（ＯＦＤＭ）パケットの始まりを検出することを含みうる。ＵＥ１１５−ａは、複数のチャネルのうちの残りのチャネル上で他のＣＣＡプロシージャ、たとえば、エネルギー検出ＣＣＡプロシージャ、ガードインターバル自己相関ＣＣＡプロシージャ、またはその両方のＣＣＡプロシージャを実行しうる。エネルギー検出ＣＣＡプロシージャは、ＵＥ１１５−ａが、４マイクロ秒内で、−６２ｄＢｍ以上のいずれの信号も検出することを含みうる。ガードインターバル自己相関ＣＣＡプロシージャは、ＵＥ１１５−ａが、２５マイクロ秒以内で、九十（９０）パーセントよりも高い確率で、−７２ｄＢｍ以上のいずれの有効な２０ＭＨｚ  ＯＦＤＭ  ＰＰＤＵも検出することを含みうる。
【００４６】
[0054]いくつかの態様では、ＵＥ１１５−ａはまた、基地局１０５−ａにおけるＵＥ支援アップリンクスケジューリングのために構成されうる。たとえば、ＵＥ１１５−ａは、任意の近隣ＢＳＳに関連付けられたプライマリチャネルを識別およびモニタリングしうる。ＵＥ１１５−ａは、基地局１０５−ａにチャネル使用または利用情報を提供しうる。該チャネル利用情報は、プライマリチャネルのモニタリングに基づき得、該プライマリチャネル上のＷｉ−Ｆｉトラフィックの量のインジケーションを含みうる。ＵＥ１１５−ａは、スケジュール、たとえば、固定の時間期間ごとに繰り返される周期的スケジュール、および／またはランダムにＵＥ１１５−ａによって選択されるか、またはＵＥ１１５−ａに提供される非周期的スケジュール、にしたがって、該チャネル利用情報をモニタリングおよび／または提供しうる。基地局１０５−ａは、ＵＥ１１５−ａ（およびエリア中で動作する他のＵＥ）のためのアップリンク通信についてのチャネルを識別するために、ＵＥ１１５−ａによって報告されたチャネル利用情報を使用しうる。いくつかの例では、基地局１０５−ａは、リソースグラントにおいて識別される複数のチャネルに、該チャネル利用情報において識別されたプライマリチャネルを含めうる。
【００４７】
[0055]いくつかの態様では、基地局１０５−ａはまた、チャネル上でＣＣＡプロシージャを実行しうる。信号検出ＣＣＡプロシージャを実行するために基地局１０５−ａが選択するチャネルは、ＵＥ１１５−ａによって使用される選択スキームとは異なる選択スキームを使用しうる。たとえば、基地局１０５−ａは、すべてのチャネル上で、信号検出ＣＣＡプロシージャおよび／またはエネルギー検出ＣＣＡプロシージャを実行しうる。つまり、ＬＴＥ−ＣＷ構成基地局１０５−ａは、すべての２０ＭＨｚチャネル上の並行の信号検出ＣＣＡプロシージャをサポートしうる。
【００４８】
[0056]図３は、本開示の様々な態様にしたがった、ワイヤレス通信システム３００の例を例示する。ワイヤレス通信システム３００は、基地局１０５−ｂ、ＵＥ１１５−ｂおよび１１５−ｃ、ならびにＷｉ−Ｆｉアクセスポイント（ＡＰ）３０５−ａおよび３０５−ｂを含む。ワイヤレスシステム３００は、図１および図２を参照して説明されたワイヤレス通信システム１００および／または図２００の態様を例示しうる。ＵＥ１１５−ｂおよび／または１１５−ｃは、図１および図２を参照して説明されたＵＥ１１５の例でありうる。基地局１０５−ｂは、図１および図２を参照して説明された基地局１０５の例でありうる。いくつかの例では、ＵＥ１１５および／または基地局１０５のうちの１つのようなシステムデバイスは、以下で説明される機能のいくつかまたはすべてを実行するようにデバイスの機能要素を制御するためのコードの１つまたは複数のセットを実行しうる。
【００４９】
[0057]Ｗｉ−Ｆｉ  ＡＰ３０５は、ＷＬＡＮ通信、たとえば、米国電気電子学会（ＩＥＥＥ）８０２．１１規格ファミリを実装するＷｉ−Ｆｉ通信、のために構成されうる。各ＡＰ３０５は、ＡＰ３０５およびあらゆる関連付けられたワイヤレス局（ＳＴＡ）（たとえば、他のＵＥ１１５）から成るそれぞれのＢＳＳを形成しうる。通常、各ＢＳＳ３１０は、Ｗｉ−Ｆｉ通信のために使用されるべき関連付けられたプライマリチャネルを有する。例となるワイヤレス通信システム３００では、ＢＳＳ３１０−ａは、プライマリチャネルとしてチャネル４を使用し、ＢＳＳ３１０−ｂは、プライマリチャネルとしてチャネル１を使用する。一般に、ＢＳＳ３１０の一部である各ＳＴＡが、ＢＳＳ３１０のためのプライマリチャネル上でＣＣＡプロシージャを実行するだろう。たとえば、各ＳＴＡは、Ｗｉ−Ｆｉ通信について概説された階層的スキームにしたがってプライマリチャネル上で信号検出ＣＣＡプロシージャを実行することを要求されうる。
【００５０】
[0058]ＵＥ１１５−ｂおよび／または１１５−ｃは、基地局１０５−ｂとのＬＴＥ−ＣＷ通信のために構成されうる。ＵＥ１１５−ｂおよび／または１１５−ｃは移動式であり得、それにより基地局１０５−ｂのカバレッジエリア１１０−ａ内を動き回りうる。ＵＥ１１５−ｂは、ＵＥ１１５−ｂがＢＳＳ３１０−ｂのチャネル１を使用して生じるＷｉ−Ｆｉトラフィックを検出、モニタリング等を行いうるように、ＢＳＳ３１０−ｂの近くか、またはＢＳＳ３１０−ｂに隣り合って位置しうる。同様に、ＵＥ１１５−ｃも、ＵＥ１１５−ｃがＢＳＳ３１０−ｂのチャネル４を使用して生じるＷｉ−Ｆｉトラフィックを検出、モニタリング等を行いうるように、ＢＳＳ３１０−ａの近くか、またはＢＳＳ３１０−ａに隣り合って位置しうる。
【００５１】
[0059]ＵＥ１１５−ｂおよび／または１１５−ｃの各々は、アップリンク通信に利用可能な複数のチャネルを識別するリソースグラントを、基地局１０５−ｂから受信しうる。該複数のチャネルは、共有の周波数スペクトルサブ帯域のものであり得、例となるワイヤレス通信システム３００では、チャネル１−４を含みうる。各チャネルは、２０ＭＨｚチャネル、４０ＭＨｚチャネル、８０ＭＨｚチャネル、または何らかの他の帯域幅チャネルでありうる。該チャネルは、１つ以上のサブ帯域を含みうる。
【００５２】
[0060]ＵＥ１１５−ｂおよび／または１１５−ｃは、その近隣Ｗｉ−Ｆｉ  ＢＳＳに関連付けられたプライマリチャネルを識別しうる。たとえば、ＵＥ１１５−ｂは、Ｗｉ−Ｆｉ  ＢＳＳ３１０−ｂに関連付けられたプライマリチャネルとしてチャネル１を識別し得、ＵＥ１１５−ｃは、Ｗｉ−Ｆｉ  ＢＳＳ３１０−ａに関連付けられたプライマリチャネルとしてチャネル４を識別しうる。ＵＥ１１５−ｂおよび／または１１５−ｃは、該識別されたプライマリチャネルが、リソースグラントにおいて識別されるような、共有の周波数スペクトルサブ帯域の複数のチャネル内にある、または該複数のチャネルに含まれているかどうかを決定しうる。Ｗｉ−Ｆｉ  ＢＳＳ３１０−ｂのプライマリチャネル１は、ＵＥ１１５−ｂのための複数のチャネル内にあり、Ｗｉ−Ｆｉ  ＢＳＳ３１０−ａのプライマリチャネル４は、ＵＥ１１５−ｃのための複数のチャネル内にある。
【００５３】
[0061]ＵＥ１１５−ｂおよび／または１１５−ｃは、近隣Ｗｉ−Ｆｉ  ＢＳＳプライマリチャネルが含まれているかどうかを決定することに基づいて、共有の周波数スペクトルサブ帯域の複数のチャネルのうちの１つのチャネルを選択しうる。ＵＥ１１５−ｂおよび／または１１５−ｃは、該選択されたチャネル上で信号検出ＣＣＡプロシージャを実行しうる。
【００５４】
[0062]近隣Ｗｉ−Ｆｉ  ＢＳＳプライマリチャネルが複数のチャネルに含まれているいくつかの例では、ＵＥ１１５は、選択されたチャネルとして該プライマリチャネルを選択し、該プライマリチャネル上で信号検出ＣＣＡプロシージャを実行しうる。例となるワイヤレス通信システム３００では、ＵＥ１１５−ｂは、選択されたチャネルとしてチャネル１を選択し、チャネル１、すなわち、近隣Ｗｉ−Ｆｉ  ＢＳＳ３１０−ｂのためのプライマリチャネル、上で信号検出ＣＣＡプロシージャを実行しうる。ＵＥ１１５−ｃは、選択されたチャネルとしてチャネル４を選択し、チャネル４、すなわち、近隣Ｗｉ−Ｆｉ  ＢＳＳ３１０−ａのためのプライマリチャネル、上で信号検出ＣＣＡプロシージャを実行しうる。ＵＥ１１５−ｂおよび／または１１５−ｃは、残りのチャネル（たとえば、ＵＥ１１５−ｃではチャネル１−３およびＵＥ１１５−ｂではチャネル２−４）上で他のＣＣＡプロシージャを実行しうる。他のＣＣＡプロシージャの例は、限定されないが、エネルギー検出ＣＣＡプロシージャおよび／またはガードインターリーブ自己相関ＣＣＡプロシージャを含む。
【００５５】
[0063]ＣＣＡプロシージャに基づいて、ＵＥ１１５−ｂおよび／または１１５−ｃは、基地局１０５−ｂへのアップリンク通信１および２をそれぞれ実行しうる。アップリンク通信１および２は、ＵＥ１１５−ｂおよび１１５−ｃによって同時に実行されうる。
【００５６】
[0064]図４は、本開示の様々な態様にしたがった、ワイヤレス通信において使用するデバイス４０５のブロック図４００を図示する。デバイス４０５は、図１、図２、または図３を参照して説明されたＵＥ１１５のうちの１つまたは複数の態様の例でありうる。デバイス４０５は、受信機４１０、ＣＣＡマネージャ４１５、および／または送信機４２０を含みうる。デバイス４０５はまた、プロセッサ（図示せず）でありうるか、または該プロセッサを含みうる。これらのコンポーネントの各々は、互いに通信しうる。
【００５７】
[0065]デバイス４０５のコンポーネントは、個々または集合的に、ハードウェアにおいて適用可能な機能のうちのいくつかまたはすべてを実行するように適合された１つまたは複数の特定用途向け集積回路（ＡＳＩＣ）で実装されうる。代わりとして、該機能は、１つまたは複数の集積回路上で、１つまたは複数の他の処理ユニット（またはコア）によって実行されうる。他の例では、当該技術分野において既知のあらゆる方法でプログラムされうる他のタイプの集積回路（たとえば、構造化／プラットフォームＡＳＩＣ、フィールドプログラマブルゲートアレイ（ＦＰＧＡ）、および他の半カスタムＩＣ）が使用されうる。各コンポーネントの機能はまた、メモリにおいて具現化され、１つまたは複数の汎用またはアプリケーション特有のプロセッサによって実行されるようにフォーマットされた命令で、全体的または部分的に、実装されうる。
【００５８】
[0066]受信機４１０は、様々な情報チャネル（たとえば、制御チャネル、データチャネル、等）に関連付けられたパケット、ユーザデータ、および／または制御情報のような情報を受信しうる。受信機４１０は、ＣＣＡプロシージャに関連付けられた送信および／またはリソースグラントを含む送信を受信するように構成されうる。情報は、デバイス４０５のＣＣＡマネージャ４１５および他のコンポーネントに渡されうる。
【００５９】
[0067]ＣＣＡマネージャ４１５は、デバイス４０５についてのＣＣＡプロシージャの態様をモニタリングし、制御し、該ＣＣＡプロシージャの態様のための手段を提供し、または別の形で該ＣＣＡプロシージャの態様を管理しうる。たとえば、ＣＣＡマネージャ４１５は、デバイス４０５で、アップリンク通信のために使用されるように利用可能な共有の周波数スペクトルサブ帯域の複数のチャネルを識別するリソースグラントを受信しうる。ＣＣＡマネージャ４１５は、近隣Ｗｉ−Ｆｉ  ＢＳＳに関連付けられたプライマリチャネルを識別し、該プライマリチャネルが共有の周波数スペクトルサブ帯域の複数のチャネル内にあるかどうかを決定しうる。ＣＣＡマネージャ４１５は、該決定することに少なくとも部分的に基づいて、共有の周波数スペクトルサブ帯域の複数のチャネルのうちの１つのチャネルを選択しうる。ＣＣＡマネージャ４１５は、該選択されたチャネル上で信号検出ＣＣＡプロシージャを実行しうる。
【００６０】
[0068]いくつかの態様では、ＣＣＡマネージャ４１５は、近隣Ｗｉ−Ｆｉ  ＢＳＳのためのプライマリチャネル上のチャネル利用情報をモニタリングする態様を管理しうる。ＣＣＡマネージャ４１５は、該近隣Ｗｉ−Ｆｉ  ＢＳＳの該プライマリチャネル上でモニタリングされたＷｉ−Ｆｉトラフィックに関連付けられた情報を含むメッセージを、基地局に送りうる。
【００６１】
[0069]送信機４２０は、デバイス４０５の他のコンポーネントから受信された１つまたは複数の信号を送信しうる。送信機４２０は、ＣＣＡプロシージャおよび／または近隣Ｗｉ−Ｆｉ  ＢＳＳチャネル利用に関連付けられた信号を含む送信を送信しうる。いくつかの例では、送信機４２０は、トランシーバモジュールにおいて受信機４１０と併置（collocated）されうる。
【００６２】
[0070]図５は、様々な例にしたがった、ワイヤレス通信において使用するデバイス４０５−ａのブロック図５００を図示する。デバイス４０５−ａは、図１、図２、または図３を参照して説明されたＵＥ１１５の１つまたは複数の態様の例でありうる。デバイス４０５−ａはまた、図４を参照して説明されたデバイス４０５の例でありうる。デバイス４０５−ａは、受信機４１０−ａ、ＣＣＡマネージャ４１５−ａ、および／または送信機４２０−ａを含むことができ、それらは、デバイス４０５の対応するコンポーネントの例でありうる。デバイス４０５−ａはまた、プロセッサ（図示せず）を含みうる。これらのコンポーネントの各々は、互いに通信しうる。ＣＣＡマネージャ４１５−ａは、チャネルマネージャ５０５、近接ＢＳＳマネージャ５１０、および／またはＣＣＡプロシージャマネージャ５１５を含みうる。受信機４１０−ａおよび送信機４２０−ａは、図４の受信機４１０および送信機４２０それぞれの機能を実行しうる。
【００６３】
[0071]チャネルマネージャ５０５は、デバイス４０５−ａについてのチャネル識別および選択の態様をモニタリングし、制御し、該チャネル識別および選択の態様のための手段を提供し、または別の形で該チャネル識別および選択の態様を管理しうる。たとえば、チャネルマネージャ５０５は、アップリンク通信に使用されるように利用可能な共有の周波数スペクトルサブ帯域の複数のチャネルを識別するリソースグラントを受信しうる。チャネルマネージャ５０５は、近隣ＵＥが信号検出ＣＣＡプロシージャを実行している複数のチャネルのうちの第１のチャネルを識別しうる。
【００６４】
[0072]近接ＢＳＳマネージャ５１０は、デバイス４０５−ａについての近隣Ｗｉ−Ｆｉ  ＢＳＳ識別、検出、およびモニタリングの態様をモニタリングし、制御し、該近隣Ｗｉ−Ｆｉ  ＢＳＳ識別、検出、およびモニタリングの態様のための手段を提供し、または別の形で該近隣Ｗｉ−Ｆｉ  ＢＳＳ識別、検出、およびモニタリングの態様を管理しうる。たとえば、近接ＢＳＳマネージャ５１０は、近隣Ｗｉ−Ｆｉ  ＢＳＳに関連付けられたプライマリチャネルを識別し、該プライマリチャネルが共有の周波数スペクトルサブ帯域の複数のチャネル内にあるかどうかを決定しうる。近接ＢＳＳマネージャ５１０は、プライマリチャネルが複数のチャネル内にあると決定しうる。近接ＢＳＳマネージャ５１０は、プライマリチャネルが複数のチャネル外にある、すなわち該複数のチャネル内にないと決定しうる。
【００６５】
[0073]いくつかの態様では、近接ＢＳＳマネージャ５１０は、所定のスケジュールにしたがってプライマリチャネルをモニタリングしうる。近接ＢＳＳマネージャ５１０は、単独でも送信機４２０−ａと連携しても、基地局にチャネル利用メッセージを送信しうる。該チャネル利用メッセージは、プライマリチャネル上のＷｉ−Ｆｉトラフィックの量に関連付けられた情報を含みうる。所定のスケジュールは、周期的スケジュール、または非周期的スケジュールでありうる。プライマリチャネルは、リソースグラントにおいて識別される複数のチャネルに含まれうる。
【００６６】
[0074]ＣＣＡプロシージャマネージャ５１５は、デバイス４０５−ａについてのＣＣＡプロシージャを実行する態様をモニタリングし、制御し、該ＣＣＡプロシージャを実行する態様のための手段を提供し、または別の形で該ＣＣＡプロシージャを実行する態様を管理しうる。たとえば、ＣＣＡプロシージャマネージャ５１５は、プライマリチャネルが複数のチャネル内にあるかどうかを決定することに少なくとも部分的に基づいて、共有の周波数スペクトルサブ帯域の複数のチャネルのうちの１つのチャネルを選択しうる。ＣＣＡプロシージャマネージャ５１５は、該選択されたチャネル上で信号検出ＣＣＡプロシージャを実行しうる。
【００６７】
[0075]プライマリチャネルが複数のチャネル内にある例では、ＣＣＡプロシージャマネージャ５１５は、信号検出ＣＣＡプロシージャを実行すべき選択されたチャネルとして該プライマリチャネルを選択しうる。該プライマリチャネルが複数のチャネル内にない例では、ＣＣＡプロシージャマネージャ５１５は、信号検出ＣＣＡプロシージャを実行すべき該選択されたチャネルとして複数のチャネルのうちのいずれのチャネルも選択しうる。
【００６８】
[0076]近隣ＵＥが複数のチャネルのうちの第１のチャネル上で信号検出ＣＣＡプロシージャを実行していると近接ＢＳＳマネージャ５１０が決定した例では、ＣＣＡプロシージャマネージャ５１５は、信号検出ＣＣＡプロシージャを実行すべき選択されたチャネルとして第２のチャネルを選択しうる。該第２のチャネルは、第１のチャネルとは異なりうる。
【００６９】
[0077]いくつかの態様では、ＣＣＡプロシージャマネージャ５１５は、該複数のチャネルのうちの残りの部分のチャネル上で追加のＣＣＡプロシージャを実行しうる。追加のＣＣＡプロシージャは、エネルギー検出ＣＣＡプロシージャ、および／またはガードインターバル自己相関ＣＣＡプロシージャを含みうる。
【００７０】
[0078]図６は、様々な例にしたがった、ワイヤレス通信において使用するシステム６００を図示する。システム６００は、図１−図３のＵＥ１１５の例、ならびに／または図４および図５のデバイス４０５の態様の例でありうる、ＵＥ１１５−ｄを含みうる。概してＵＥ１１５−ｄは、説明された技法にしたがったＣＣＡプロシージャを利用するＬＴＥ−ＣＷ通信のために構成されうる。
【００７１】
[0079]ＵＥ１１５−ｄは概して、通信を送信するためのコンポーネントおよび通信を受信するためのコンポーネントを含む、双方向音声およびデータ通信のためのコンポーネントを含みうる。ＵＥ１１５−ｄは、アンテナ（複数を含む）６４０、トランシーバ６３５、プロセッサ６０５、および（ソフトウェア（ＳＷ）６２０を含む）メモリ６１５を含み得、これらは各々、（たとえば、１つまたは複数のバス６４５を介して）直接的または間接的に、互いに通信しうる。トランシーバ６３５は、上で説明されたように、アンテナ（複数を含む）６４０および／または１つまたは複数の有線もしくはワイヤレスリンクを介して、１つまたは複数のネットワークと双方向に通信するように構成されうる。たとえば、トランシーバ６３５は、図１−図３に関連する基地局１０５と双方向に通信するように構成されうる。トランシーバ６３５は、パケットを変調して該変調されたパケットを送信のためにアンテナ（複数を含む）６４０に提供する、およびアンテナ（複数を含む）６４０から受信されたパケットを復調する、ように構成されたモデムを含みうる。ＵＥ１１５−ｄは、単一のアンテナ６４０を含みうる一方で、ＵＥ１１５−ｄは、複数のワイヤレス送信を同時に送信および／または受信する能力を有する複数のアンテナ６４０を有しうる。トランシーバ６３５は、複数のコンポーネントキャリアを介して１つまたは複数の基地局１０５と同時に通信する能力を有しうる。
【００７２】
[0080]ＵＥ１１５−ｄはＣＣＡマネージャ４１５−ｂを含み得、これは、図４および図５のデバイス４０５のＣＣＡマネージャ４１５について上で説明された機能を実行しうる。たとえば、ＣＣＡマネージャ４１５−ｂは、チャネルマネージャ５０５−ａ、近接ＢＳＳマネージャ５１０−ａ、ＣＣＡプロシージャマネージャ５１５−ｂを含み得、これらは例であり、図５のチャネルマネージャ５０５、近接ＢＳＳマネージャ５１０、およびＣＣＡプロシージャマネージャ５１５それぞれの機能を実行しうる。
【００７３】
[0081]メモリ６１５は、ランダムアクセスメモリ（ＲＡＭ）および読取専用メモリ（ＲＯＭ）を含みうる。メモリ６１５は、実行されたとき、プロセッサ６０５に、本明細書で説明される様々な機能（たとえば、複数のチャネルを含むリソースグラントを受信すること、および近隣Ｗｉ−Ｆｉ  ＢＳＳのプライマリチャネルが複数のチャネル内にあるかどうかを決定すること等）を実行させるように構成されている命令を含む、コンピュータ可読、コンピュータ実行可能ソフトウェア／ファームウェアコード６２０を記憶しうる。代わりとして、コンピュータ可読、コンピュータ実行可能ソフトウェア／ファームウェアコード６２０は、プロセッサ６０５によって直接実行可能でないことがあるが、（たとえば、コンパイルおよび実行されたときに）コンピュータに、本明細書で説明される機能を実行させるように構成されうる。プロセッサ６０５は、インテリジェントハードウェアデバイス、たとえば、中央処理ユニット（ＣＰＵ）、マイクロコントローラ、特定用途向け集積回路（ＡＳＩＣ）等、を含みうる。
【００７４】
[0082]図７は、本開示の様々な態様にしたがった、ワイヤレス通信のための方法７００の例を例示するフローチャートである。明確さのために、方法７００は、図１−図３および図６を参照して説明されたＵＥの態様、ならびに／または図４および図５を参照して説明されたデバイス４０５のうちの１つまたは複数の態様を参照して以下に説明される。いくつかの例では、ＵＥは、以下に説明される機能を実行するようにＵＥの機能要素を制御するためのコードの１つまたは複数のセットを実行しうる。加えて、または代わりとして、ＵＥは、専用ハードウェアを使用して、以下に説明される機能のうちの１つまたは複数を実行しうる。
【００７５】
[0083]ブロック７０５で、方法７００は、ＵＥがアップリンク通信に利用可能な共有の周波数スペクトルサブ帯域の複数のチャネルを識別するリソースグラントを受信することを含みうる。ブロック７０５における動作（複数を含む）は、図５および図６を参照して説明されたチャネルマネージャ５０５を使用して実行されうる。
【００７６】
[0084]ブロック７１０で、方法７００は、ＵＥが近隣Ｗｉ−Ｆｉ  ＢＳＳに関連付けられたプライマリチャネルを識別することを含みうる。ブロック７１０における動作（複数を含む）は、図５および図６を参照して説明された近接ＢＳＳマネージャ５１０を使用して実行されうる。
【００７７】
[0085]ブロック７１５で、方法７００は、ＵＥが、該識別されたプライマリチャネルが共有の周波数スペクトルサブ帯域の複数のチャネル内にあるかどうかを決定することを含みうる。ブロック７１５における動作（複数を含む）は、図５および図６を参照して説明された近接ＢＳＳマネージャ５１０を使用して実行されうる。
【００７８】
[0086]ブロック７２０で、方法７００は、ＵＥが、該決定することに少なくとも部分的に基づいて、共有の周波数スペクトルサブ帯域の複数のチャネルのうちの１つのチャネルを選択することを含みうる。ブロック７２０における動作（複数を含む）は、図５および図６を参照して説明されたＣＣＡプロシージャマネージャ５１５を使用して実行されうる。
【００７９】
[0087]ブロック７２５で、方法７００は、ＵＥが該選択されたチャネル上で信号検出ＣＣＡプロシージャを実行することを含みうる。ブロック７２０における動作（複数を含む）は、図５および図６を参照して説明されたＣＣＡプロシージャマネージャ５１５を使用して実行されうる。
【００８０】
[0088]図８は、本開示の様々な態様にしたがった、ワイヤレス通信のための方法８００の例を例示するフローチャートである。明確さのために、方法８００は、図１−図３および図６を参照して説明されたＵＥの態様、ならびに／または図４および図５を参照して説明されたデバイス４０５のうちの１つまたは複数の態様を参照して以下に説明される。いくつかの例では、ＵＥは、以下に説明される機能を実行するようにＵＥの機能要素を制御するためのコードの１つまたは複数のセットを実行しうる。加えて、または代わりとして、ＵＥは、専用ハードウェアを使用して、以下に説明される機能のうちの１つまたは複数を実行しうる。
【００８１】
[0089]ブロック８０５で、方法８００は、ＵＥがアップリンク通信に利用可能な共有の周波数スペクトルサブ帯域の複数のチャネルを識別するリソースグラントを受信することを含みうる。ブロック８０５における動作（複数を含む）は、図５および図６を参照して説明されたチャネルマネージャ５０５を使用して実行されうる。
【００８２】
[0090]ブロック８１０で、方法８００は、ＵＥが近隣Ｗｉ−Ｆｉ  ＢＳＳに関連付けられたプライマリチャネルを識別することを含みうる。ブロック８１０における動作（複数を含む）は、図５および図６を参照して説明された近接ＢＳＳマネージャ５１０を使用して実行されうる。
【００８３】
[0091]ブロック８１５で、方法８００は、ＵＥが所定のスケジュールにしたがって該プライマリチャネルをモニタリングすることを含みうる。ブロック８１５における動作（複数を含む）は、図５および図６を参照して説明された近接ＢＳＳマネージャ５１０を使用して実行されうる。
【００８４】
[0092]ブロック８２０で、方法８００は、ＵＥが、基地局にチャネル利用メッセージを送信することを含み得、該チャネル利用メッセージは、プライマリチャネル上のＷｉ−Ｆｉトラフィックの量に関連付けられた情報を備える。ブロック８２０における動作（複数を含む）は、図５および図６を参照して説明された近接ＢＳＳマネージャ５１０を使用して実行されうる。
【００８５】
[0093]図９は、本開示の様々な態様にしたがった、ワイヤレス通信のための方法９００の例を例示するフローチャートである。明確さのために、方法９００は、図１−図３および図６を参照して説明されたＵＥの態様、ならびに／または図４および図５を参照して説明されたデバイス４０５のうちの１つまたは複数の態様を参照して以下に説明される。いくつかの例では、ＵＥは、以下に説明される機能を実行するようにＵＥの機能要素を制御するためのコードの１つまたは複数のセットを実行しうる。加えて、または代わりとして、ＵＥは、専用ハードウェアを使用して、以下に説明される機能のうちの１つまたは複数を実行しうる。
【００８６】
[0094]ブロック９０５で、方法９００は、ＵＥがアップリンク通信に利用可能な共有の周波数スペクトルサブ帯域の複数のチャネルを識別するリソースグラントを受信することを含みうる。ブロック９０５における動作（複数を含む）は、図５および図６を参照して説明されたチャネルマネージャ５０５を使用して実行されうる。
【００８７】
[0095]ブロック９１０で、方法９００は、ＵＥが近隣Ｗｉ−Ｆｉ  ＢＳＳに関連付けられたプライマリチャネルを識別することを含みうる。ブロック９１０における動作（複数を含む）は、図５および図６を参照して説明された近接ＢＳＳマネージャ５１０を使用して実行されうる。
【００８８】
[0096]ブロック９１５で、方法９００は、ＵＥが、該識別されたプライマリチャネルが共有の周波数スペクトルサブ帯域の複数のチャネル内にあると決定することを含みうる。ブロック９１５における動作（複数を含む）は、図５および図６を参照して説明された近接ＢＳＳマネージャ５１０を使用して実行されうる。
【００８９】
[0097]ブロック９２０で、方法９００は、ＵＥが、信号検出ＣＣＡプロシージャを実行すべき選択されたチャネルとして該プライマリチャネルを選択することを含みうる。ブロック９２０における動作（複数を含む）は、図５および図６を参照して説明されたＣＣＡプロシージャマネージャ５１５を使用して実行されうる。
【００９０】
[0098]ブロック９２５で、方法９００は、ＵＥが該選択されたチャネル上で信号検出ＣＣＡプロシージャを実行することを含みうる。ブロック９２０における動作（複数を含む）は、図５および図６を参照して説明されたＣＣＡプロシージャマネージャ５１５を使用して実行されうる。
【００９１】
[0099]したがって、方法７００−９００は、ワイヤレス通信を提供しうる。方法７００−９００が単に例となる実装に過ぎず、方法７００−９００の動作が、他の実装が可能であるように再配置か、または違った形で修正されうることは留意されるべきである。
【００９２】
[0100]本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用されうる。「システム」および「ネットワーク」という用語は、しばしば交換可能に使用される。ＣＤＭＡシステムは、ＣＤＭＡ２０００、ユニバーサル地上無線アクセス（ＵＴＲＡ）等のような無線技術を実装しうる。ＣＤＭＡ２０００は、ＩＳ−２０００、ＩＳ−９５、およびＩＳ−８５６規格をカバーする。ＩＳ−２０００リリース０およびＡは一般的に、ＣＤＭＡ２０００  １Ｘ、１Ｘ等と称される。ＩＳ−８５６（ＴＩＡ−８５６）は一般的に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術を実装しうる。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）等のような無線技術を実装しうる。ＵＴＲＡおよびＥ−ＵＴＲＡは、ユニバーサルモバイルテレコミュニケ―ションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織による文書において説明される。ＣＤＭＡ２０００およびＵＭＢは、「第３世代パートナーシッププロジェクト２」（３ＧＰＰ２）という名称の組織による文書において説明される。本明細書で説明された技法は、アンライセンスおよび／または共有の帯域幅を介したセルラ（たとえば、ＬＴＥ）通信を含む、上で言及されたシステムおよび無線技術、それに加えて他のシステムおよび無線技術のために使用されうる。しかしながら上記の説明は、例の目的でＬＴＥ／ＬＴＥ−Ａシステムを説明しており、ＬＴＥ専門用語が上記の説明のほとんどにおいて使用されているけれども、該技法はＬＴＥ／ＬＴＥ−Ａアプリケーションを超えて適用可能である。
【００９３】
[0101]添付の図面に関連して上で述べられた詳細な説明は例を説明しており、実装されうる、または請求項の範囲内にある唯一の例（the only examples）を表すのではない。「例（example）」および「実例的（exemplary）」という用語は、本説明において使用されるとき、「好ましい」でも「他の例よりも有利である」でもなく、「例、事例、または例示としての役割をする」を意味する。詳細な説明は、説明された技法の理解を提供する目的で、具体的な詳細を含む。しかしながら、これらの技法は、これらの具体的な詳細なく実施されうる。いくつかの事例では、周知の構造および装置が、説明された例のコンセプトを暖味にすることを避けるためにブロック図の形態で図示される。
【００９４】
[0102]情報および信号は、様々な異なる技術および技法のいずれを使用しても表されうる。たとえば、上記の説明全体を通して参照されうるデータ、命令、コマンド、情報、信号、ビット、シンボル、およびチップは、電圧、電流、電磁波、磁場もしくは磁性粒子、光学場もしくは光学粒子、またはそれらのあらゆる組合せによって表されうる。
【００９５】
[0103]本明細書における開示に関連して説明された様々な例示的なブロックおよびコンポーネントは、汎用プロセッサ、デジタルシグナルプロセッサ（ＤＳＰ）、ＡＳＩＣ、ＦＰＧＡもしくは他のプログラマブル論理デバイス、ディスクリートゲートもしくはトランジスタ論理回路、ディスクリートハードウェアコンポーネント、または本明細書で説明された機能を実行するように設計されたそれらのいずれの組合せを用いても実装または実行されうる。汎用プロセッサは、マイクロプロセッサでありうるが、代わりとして、該プロセッサは、いずれの従来のプロセッサ、コントローラ、マイクロコントローラ、またはステートマシンでもありうる。プロセッサはまた、コンピューテイングデバイスの組合せ、たとえば、ＤＳＰとマイクロプロセッサの組合せ、複数のマイクロプロセッサ、ＤＳＰコアと連携する１つまたは複数のマイクロプロセッサ、またはあらゆる他のそのような構成、としても実装されうる。
【００９６】
[0104]本明細書で説明された機能は、ハードウェア、プロセッサによって実行されるソフトウェア、ファームウェア、またはそれらのいずれの組合せにおいても実装されうる。プロセッサによって実行されるソフトウェアにおいて実装される場合、該機能は、コンピュータ可読媒体上で、１つまたは複数の命令またはコードとして記憶または送信されうる。他の例および実装は、本開示および添付の請求項の趣旨および範囲内にある。たとえば、ソフトウェアの本質に起因して、上で説明された機能は、プロセッサによって実行されるソフトウェア、ハードウェア、ファームウェア、ハードワイヤリング、またはこれらのうちのいずれのものの組合せを使用しても実装されうる。機能を実装する特徴はまた、様々なポジションに物理的に位置し、それは、機能の複数の部分が異なる物理的位置で実装されるように分配されていることを含む。請求項を含む本明細書で使用される場合、「および、ならびに（and）／もしくは、または、あるいは（or）」という用語は、２つ以上の項目のリストにおいて使用されるとき、リストアップされた項目のうちのいずれの１つも単独で用いられること、または、リストアップされた項目のうちの２つ以上のいずれの組合せも用いられうることを意味する。たとえば、ある構成が、コンポーネントＡ、Ｂ、および／またはＣを含むと説明される場合、該構成は、Ａのみ、Ｂのみ、Ｃのみ、ＡとＢの組合せ、ＡとＣの組合せ、ＢとＣの組合せ、またはＡとＢとＣの組合せを含みうる。また、請求項を含む本明細書で使用される場合、項目のリスト（たとえば、「のうちの少なくとも１つ」または「のうちの１つまたは複数」のようなフレーズで始まる項目のリスト）において使用される場合、「もしくは、または、あるいは（or）」は、たとえば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【００９７】
[0105]コンピュータ可読媒体は、ある場所から別の場所へのコンピュータプログラムの転送を容易にするいずれの媒体も含む通信媒体とコンピュータ記憶媒体の両方を含む。記憶媒体は、汎用または専用コンピュータによってアクセスされうるいずれの利用可能な媒体でもありうる。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光学ディスクストレージ、磁気ディスクストレージまたは他の磁気記憶デバイス、あるいは命令またはデータ構造の形態で所望のプログラムコード手段を搬送または記憶するために使用されうる、および汎用もしくは専用コンピュータ、または汎用もしくは専用プロセッサによってアクセスされうるいずれの他の媒体も備えうる。また、いずれの接続手段も、厳密にはコンピュータ可読媒体と呼ばれる。たとえば、ソフトウェアが、ウェブサイトから、サーバから、または同軸ケーブル、光ファイパケーブル、ツイストペア、デジタル加入者線（ＤＳＬ）、もしくは赤外線、電波、およびマイクロ波のようなワイヤレス技術を使用する他の遠隔ソースから送信される場合、同軸ケーブル、光ファイパケーブル、ツイストペア、ＤＳＬ、または赤外線、電波、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ここで、ディスク（disk）が通常、磁気的にデータを再生する一方で、ディスク（disc）は、レーザーを用いて光学的にデータを再生する。上記の組合せもまた、コンピュータ可読媒体の範囲内に含まれる。
【００９８】
[0106]本開示の先の説明は、当業者が本開示を製造または使用することを可能にするために提供されている。本開示への様々な修正は、当業者には容易に明らかになり、本明細書で定義される一般的な原理は、本開示の範囲から逸脱することなく、他のバリエーションに適用されうる。したがって、本開示は、本明細書で説明される例および設計に限定されることになっておらず、本明細書で開示される原理および新規な特徴と一致する最も広い範囲を与えられることとなる。
以下に本願の出願当初の特許請求の範囲に記載された発明を付記する。
［Ｃ１］
ワイヤレス通信のための方法であって、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を備える、方法。
［Ｃ２］
１つのチャネルを選択することは、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を備える、Ｃ１に記載の方法。
［Ｃ３］
１つのチャネルを選択することは、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を備える、Ｃ１に記載の方法。
［Ｃ４］
１つのチャネルを選択することは、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を備える、Ｃ１に記載の方法。
［Ｃ５］
前記複数のチャネルのうちの残りの部分のチャネル上で追加のＣＣＡプロシージャを実行することをさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ１に記載の方法。
［Ｃ６］
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
をさらに備える、Ｃ１に記載の方法。
［Ｃ７］
前記所定のスケジュールは、周期的スケジュール、または非周期的スケジュール、またはそれらの組合せを備える、Ｃ６に記載の方法。
［Ｃ８］
前記プライマリチャネルは、前記リソースグラントにおいて識別される前記複数のチャネルに含まれている、Ｃ６に記載の方法。
［Ｃ９］
ワイヤレス通信のための装置であって、
プロセッサと、
前記プロセッサと電子通信するメモリと、
前記メモリに記憶された命令とを備え、前記命令は、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を行うように前記プロセッサによって実行可能である、装置。
［Ｃ１０］
１つのチャネルを選択するように実行可能な前記命令は、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を行うようにさらに実行可能である、Ｃ９に記載の装置。
［Ｃ１１］
１つのチャネルを選択するように実行可能な前記命令は、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を行うようにさらに実行可能である、Ｃ９に記載の装置。
［Ｃ１２］
１つのチャネルを選択するように実行可能な前記命令は、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を行うようにさらに実行可能である、Ｃ９に記載の装置。
［Ｃ１３］
前記複数のチャネルのうちの残りの部分のチャネル上で追加のＣＣＡプロシージャを実行するように前記プロセッサによって実行可能な命令をさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ９に記載の装置。
［Ｃ１４］
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
を行うように前記プロセッサによって実行可能な命令をさらに備える、Ｃ９に記載の装置。
［Ｃ１５］
前記所定のスケジュールは、周期的スケジュール、または非周期的スケジュール、またはそれらの組合せを備える、Ｃ１４に記載の装置。
［Ｃ１６］
前記プライマリチャネルは、前記リソースグラントにおいて識別される前記複数のチャネルに含まれている、Ｃ１４に記載の装置。
［Ｃ１７］
ワイヤレス通信のための装置であって、
ユーザ機器（ＵＥ）で、アップリンク通信のために使用されるように利用可能な共有の周波数スペクトルサブ帯域の複数のチャネルを識別するリソースグラントを受信するための手段と、
近隣Ｗｉ−Ｆｉ基本サービスセット（ＢＳＳ）に関連付けられたプライマリチャネルを識別するための手段と、
前記識別されたプライマリチャネルが、前記共有の周波数スペクトルサブ帯域の前記複数のチャネル内にあるかどうかを決定するための手段と、
前記決定することに少なくとも部分的に基づいて、前記共有の周波数スペクトルサブ帯域の前記複数のチャネルのうちの１つのチャネルを選択するための手段と、
前記選択されたチャネル上で信号検出クリアチャネル評価（ＣＣＡ）プロシージャを実行するための手段と、
を備える、装置。
［Ｃ１８］
１つのチャネルを選択するための前記手段は、
前記プライマリチャネルが、前記サブ帯域の前記複数のチャネル内にあると決定するための手段と、
前記信号検出ＣＣＡプロシージャを実行すべき前記選択されたチャネルとして前記プライマリチャネルを選択するための手段と、
を備える、Ｃ１７に記載の装置。
［Ｃ１９］
１つのチャネルを選択するための前記手段は、
前記プライマリチャネルが、前記共有の周波数スペクトルサブ帯域の前記複数のチャネル外にあると決定するための手段と、
前記信号検出ＣＣＡプロシージャを実行すべき前記選択されたチャネルとして前記複数のチャネルのうちの１つのチャネルを選択するための手段と、
を備える、Ｃ１７に記載の装置。
［Ｃ２０］
１つのチャネルを選択するための前記手段は、
近隣ＵＥが信号検出ＣＣＡプロシージャを実行している前記複数のチャネルのうちの第１のチャネルを識別するための手段と、
前記信号検出ＣＣＡプロシージャを実行すべき前記選択されたチャネルとして第２のチャネルを選択するための手段と、前記第２のチャネルは、前記第１のチャネルとは異なる、
を備える、Ｃ１７に記載の装置。
［Ｃ２１］
１つのチャネルを選択するための前記手段は、
前記複数のチャネルのうちの残りの部分のチャネル上で追加のＣＣＡプロシージャを実行するための手段を備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ１７に記載の装置。
［Ｃ２２］
前記プライマリチャネルをモニタリングするための手段と、
所定のスケジュールにしたがって基地局にチャネル利用メッセージを送信するための手段と、前記チャネル利用メッセージは、前記プライマリチャネル上のＷｉ−Ｆｉトラフィックの量に関連付けられた情報を備える、
をさらに備える、Ｃ１７に記載の装置。
［Ｃ２３］
前記所定のスケジュールは、周期的スケジュール、または非周期的スケジュール、またはそれらの組合せを備える、Ｃ２２に記載の装置。
［Ｃ２４］
前記プライマリチャネルは、前記リソースグラントにおいて識別される前記複数のチャネルに含まれている、Ｃ２２に記載の装置。
［Ｃ２５］
ワイヤレス通信のためのコンピュータ実行可能コードを記憶する非一時的コンピュータ可読媒体であって、前記コードは、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を行うようにプロセッサによって実行可能である、非一時的コンピュータ可読媒体。
［Ｃ２６］
１つのチャネルを選択するようにプロセッサによって実行可能な前記コードは、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を行うようにさらに実行可能である、Ｃ２５に記載の非一時的コンピュータ可読媒体。
［Ｃ２７］
１つのチャネルを選択するようにプロセッサによって実行可能な前記コードは、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を行うようにさらに実行可能である、Ｃ２５に記載の非一時的コンピュータ可読媒体。
［Ｃ２８］
１つのチャネルを選択するようにプロセッサによって実行可能な前記コードは、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を行うようにさらに実行可能である、Ｃ２５に記載の非一時的コンピュータ可読媒体。
［Ｃ２９］
前記複数のチャネルのうちの残りの部分のチャネル上で追加のＣＣＡプロシージャを実行するように前記プロセッサによって実行可能なコードをさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ２５に記載の非一時的コンピュータ可読媒体。
［Ｃ３０］
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
を行うように前記プロセッサによって実行可能なコードをさらに備える、Ｃ２５に記載の非一時的コンピュータ可読媒体。
【図１】
0006797906.tif 000002
【図２】
0006797906.tif 000003
【図３】
0006797906.tif 000004
【図４】
0006797906.tif 000005
【図５】
0006797906.tif 000006
【図６】
0006797906.tif 000007
【図７】
0006797906.tif 000008
【図８】
0006797906.tif 000009
【図９】
0006797906.tif 000010